(57)【要約】【課題】外部読出し装置で読み出される履歴データやＣＯ濃度濃度等のリアルタイムデータを記憶した低コストで履歴データやＣＯ濃度等のリアルタイムデータの通信が可能な警報器と、警報器と通信するカップリングアダプタと、警報器の履歴データやＣＯ濃度等のリアルタイムデータを通信するデータ通信システムを提供すること。【解決手段】警報器１は、音声警報を出力するスピーカ３０ａと、警報器の動作状態表示を行うＬＥＤ５０ｂと、履歴データおよび／またはリアルタイムデータを記憶する記憶手段６０とを備えた警報器１であって、スピーカ３０ａおよび／またはＬＥＤ５０ｂを、記憶手段６０に記憶されている履歴データおよび／またはリアルタイムデータを外部読出し装置が読み出す際の外部読出し装置との通信手段として使用する。【選択図】図１
2008146183.tif 000002
【特許請求の範囲】
【請求項１】
音声警報を出力するスピーカと、警報器の動作状態表示を行うＬＥＤと、履歴データおよび／またはリアルタイムデータを記憶する記憶手段とを備えた警報器であって、
前記スピーカおよび／または前記ＬＥＤを、前記記憶手段に記憶されている前記履歴データおよび／またはリアルタイムデータを外部読出し装置が読み出す際の前記外部読出し装置との通信手段として使用することを特徴とする警報器。
【請求項２】
請求項１記載の警報器において、
前記外部読出し装置は、前記警報器との通信手段としてスピーカおよび受光素子を備え前記警報器に装着されるカップリングアダプタを介して前記警報器と通信し、
前記警報器のスピーカおよびＬＥＤは、前記警報器への前記カップリングアダプタの装着時に、前記カップリングアダプタの前記スピーカおよび前記受光素子とそれぞれ密着する位置に設けられていることを特徴とする警報器。
【請求項３】
請求項２記載の警報器において、
前記警報器のスピーカに音声警報信号を供給すると共に前記ＬＥＤに動作状態表示信号を供給するマイクロプロセッサユニットと、
前記外部読出し装置が履歴データおよび／またはリアルタイムデータを読み出す際に前記外部読出し装置から前記警報器へ送出される信号を受信する前記警報器のスピーカに接続され、前記信号を増幅して前記マイクロプロセッサユニットに入力する増幅手段と、
前記マイクロプロセッサユニットにより制御され、前記外部読出し装置が履歴データおよび／またはリアルタイムデータを読み出す時以外は前記増幅手段からの前記マイクロプロセッサユニットへの前記信号の入力を遮断する遮断手段とを備え、
前記ＬＥＤは、前記記憶手段に記憶されている前記履歴データおよび／またはリアルタイムデータにより点滅する発光信号を前記カップリングアダプタの前記受光素子に送出する
ことを特徴とする警報器。
【請求項４】
警報器の動作状態表示を行う第１および第２のＬＥＤと、履歴データおよび／またはリアルタイムデータを記憶する記憶手段とを備えた警報器であって、
前記第１および第２のＬＥＤを、前記記憶手段に記憶されている前記履歴データおよび／またはリアルタイムデータを外部読出し装置が読み出す際の前記外部読出し装置との通信手段として使用することを特徴とする警報器。
【請求項５】
請求項４記載の警報器において、
前記外部読出し装置は、前記警報器との通信手段として発光素子および受光素子を備え前記警報器に装着されるカップリングアダプタを介して前記警報器と通信し、
前記警報器の前記第１および第２のＬＥＤは、前記警報器への前記カップリングアダプタの装着時に、前記カップリングアダプタの前記発光素子および前記受光素子とそれぞれ密着する位置に設けられていることを特徴とする警報器。
【請求項６】
請求項５記載の警報器において、
前記警報器の前記第１および第２のＬＥＤに動作状態表示信号を供給するマイクロプロセッサユニットと、
前記外部読出し装置が履歴データおよび／またはリアルタイムデータを読み出す際に前記外部読出し装置から前記警報器へ送出される信号を受信する前記警報器の前記第１のＬＥＤに接続され、前記信号を増幅して前記マイクロプロセッサユニットに入力する増幅手段と、
前記マイクロプロセッサユニットにより制御され、前記外部読出し装置が履歴データおよび／またはリアルタイムデータを読み出す時以外は前記増幅手段からの前記マイクロプロセッサユニットへの前記信号の入力を遮断する遮断手段とを備え、
前記第２のＬＥＤは、前記記憶手段に記憶されている前記履歴データおよび／またはリアルタイムデータにより点滅する発光信号を前記カップリングアダプタの前記受光素子に送出する
ことを特徴とする警報器。
【請求項７】
音声警報を出力するスピーカと、警報器の動作状態表示を行うＬＥＤと、履歴データおよび／またはリアルタイムデータを記憶する記憶手段とを備え、前記スピーカおよび／または前記ＬＥＤを、前記記憶手段に記憶されている前記履歴データおよび／またはリアルタイムデータを外部読出し装置が読み出す際の前記外部読出し装置との通信手段として使用する警報器から、前記履歴データおよび／またはリアルタイムデータを読み出す外部読出し装置に接続され、前記警報器に装着されるカップリングアダプタであって、
前記警報器への装着時に、前記警報器の前記スピーカと密着する位置に設けられたスピーカと、前記警報器の前記ＬＥＤと密着する位置に設けられた受光素子とを備え、前記スピーカと前記受光素子により、前記警報器から前記履歴データおよび／またはリアルタイムデータを読み出す通信を行うことを特徴とするカップリングアダプタ。
【請求項８】
警報器の動作状態表示を行う第１および第２のＬＥＤと、履歴データおよび／またはリアルタイムデータを記憶する記憶手段とを備え、前記第１および第２のＬＥＤを、前記記憶手段に記憶されている前記履歴データおよび／またはリアルタイムデータを外部読出し装置が読み出す際の前記外部読出し装置との通信手段として使用する警報器から、前記履歴データおよび／またはリアルタイムデータを読み出す外部読出し装置に接続され、前記警報器に装着されるカップリングアダプタであって、
前記警報器への装着時に、前記警報器の前記第１のＬＥＤと密着する位置に設けられた発光素子と、前記警報器の前記第２のＬＥＤと密着する位置に設けられた受光素子とを備え、前記発光素子および前記受光素子により、前記警報器から前記履歴データおよび／またはリアルタイムデータを読み出す通信を行うことを特徴とするカップリングアダプタ。
【請求項９】
音声警報を出力するスピーカと、警報器の動作状態表示を行うＬＥＤと、履歴データおよび／またはリアルタイムデータを記憶する記憶手段とを備えた警報器と、
前記記憶手段に記憶されている前記履歴データおよび／またはリアルタイムデータを読み出す外部読出し装置に接続されると共に、前記警報器への装着時に、前記警報器の前記スピーカと密着する位置に設けられたスピーカと、前記警報器の前記ＬＥＤと密着する位置に設けられた受光素子とを備え、前記警報器との間で通信を行うカップリングアダプタとを備え、
前記警報器の前記スピーカおよび／または前記ＬＥＤを、前記記憶手段に記憶されている前記履歴データおよび／またはリアルタイムデータを外部読出し装置が読み出す際の前記カップリングアダプタとの通信手段として使用することを特徴とするデータ通信システム。
【請求項１０】
警報器の動作状態表示を行う第１および第２のＬＥＤと、履歴データおよび／またはリアルタイムデータを記憶する記憶手段とを備えた警報器と、
前記記憶手段に記憶されている前記履歴データおよび／またはリアルタイムデータを読み出す外部読出し装置に接続されると共に、前記警報器への装着時に、前記警報器の前記第１のＬＥＤと密着する位置に設けられた発光素子と、前記警報器の前記第２のＬＥＤと密着する位置に設けられた受光素子とを備え、前記警報器との間で通信を行うカップリングアダプタとを備え、
前記警報器の前記第１および第２のＬＥＤを、前記記憶手段に記憶されている前記履歴データおよび／またはリアルタイムデータを外部読出し装置が読み出す際の前記カップリングアダプタとの通信手段として使用することを特徴とするデータ通信システム。
【発明の詳細な説明】
【技術分野】
【０００１】
本発明は、外部読出し装置で読み出される履歴データやリアルタイムデータを記憶したＣＯ警報器等の警報器と、外部読出し装置に接続され警報器と通信するカップリングアダプタと、警報器の履歴データやリアルタイムデータを通信するデータ通信システムに関するものである。
【背景技術】
【０００２】
ガス警報器たとえばＣＯ警報器において、警報の発生状況等を履歴データとして記憶し、記憶した履歴データを通信にて外部読出し装置で読み出して警報発生の原因解明等を行うデータ通信システムがある。
【０００３】
図７は、従来のデータ通信システムの構成例を示す図であり、（Ａ）はＣＯ警報器の背面図、（Ｂ）データ通信システムのコネクタ接続を示す図である。この例では、図７（Ａ）に示すＣＯ警報器１の履歴データを通信する場合について示している。ＣＯ警報器１はＣＯの発生を検知する部屋の壁に取り付けられ、図７（Ａ）に示すように、ケース２の裏側に裏蓋３でふさがれて内蔵された通信用コネクタ４を備えている。裏蓋３はネジ６でケース２に係止されており、その上に製造ラベル５が貼られている。
【０００４】
ＣＯ警報器１から履歴データを取り出す際には、図７（Ｂ）に示すように、裏蓋３を止めているネジ６を外して裏蓋３を開けて露出させた通信用コネクタ４に、コネクタ６およびインターフェース回路７を介してデータ読出し用外部読出し装置、たとえばパソコン（またはＰＤＡ）８を接続する。パソコン８からのコマンドの送信により、ＣＯ警報器１のメモリに記憶されている履歴データをパソコン８で読み取る。
【０００５】
一方、上述のようにコネクタ接続方式ではなく、非接触で履歴データの通信を行うものとして、無線通信方式（たとえば、特許文献１参照。）や光通信方式（たとえば、特許文献２参照。）や電磁誘導方式等がある。
【特許文献１】特開２００５−２０８８８５号公報
【特許文献２】特開２００１−２５５１９３号公報
【発明の開示】
【発明が解決しようとする課題】
【０００６】
しかしながら、図７に示すコネクタ接続方式では、ＣＯ警報器１を壁から外し、ネジ６を外して裏蓋を開けるという煩わしさがあり、そのため時間がかかるという問題がある。たとえば、ＣＯ警報器１が業務用の厨房の壁に設置されている場合には、ガス事業者がコネクタ接続の作業を厨房内で行う必要があり、時間をかけると店の人に迷惑をかけることになる。また、裏蓋３を開けることにより、内部に異物が入るなどの危険もあり、ＣＯ警報器１の信頼性を保つという点に関して問題となる。また、従来の警報器には、外部信号によりＣＯ濃度をリアルタイムに測定する機能がないため、容易にその雰囲気中のＣＯ濃度を知ることができない。そのため、別のＣＯ濃度測定器を持ち込んで測定する必要があった。
【０００７】
一方、上述の特許文献に開示されている無線通信方式や光通信方式では、専用の通信回路が必要となりコストがかかるという問題がある。
【０００８】
そこで、本発明は、上記のような問題点に着目し、外部読出し装置で読み出される履歴データやＣＯ濃度濃度等のリアルタイムデータを記憶した低コストで履歴データやＣＯ濃度濃度等のリアルタイムデータの通信が可能な警報器と、警報器と通信するカップリングアダプタと、警報器の履歴データやＣＯ濃度等のリアルタイムデータを通信するデータ通信システムを提供することを課題とする。
【課題を解決するための手段】
【０００９】
上記課題を解決するためになされた請求項１記載の発明の警報器は、音声警報を出力するスピーカと、警報器の動作状態表示を行うＬＥＤと、履歴データおよび／またはリアルタイムデータを記憶する記憶手段とを備えた警報器であって、前記スピーカおよび／または前記ＬＥＤを、前記記憶手段に記憶されている前記履歴データおよび／またはリアルタイムデータを外部読出し装置が読み出す際の前記外部読出し装置との通信手段として使用することを特徴とする。
【００１０】
請求項１記載の発明の警報器においては、音声警報を出力するスピーカと、警報器の動作状態表示を行うＬＥＤと、履歴データおよび／またはリアルタイムデータを記憶する記憶手段とを備えた警報器であって、スピーカおよび／またはＬＥＤを、記憶手段に記憶されている履歴データおよび／またはリアルタイムデータを外部読出し装置が読み出す際の外部読出し装置との通信手段として使用する。それにより、警報器の履歴データやＣＯ濃度濃度等のリアルタイムデータを読み出す外部読出し装置との通信機能を、低コストで実現することができる。
【００１１】
上記課題を解決するためになされた請求項２記載の発明の警報器は、請求項１記載の警報器において、前記外部読出し装置は、前記警報器との通信手段としてスピーカおよび受光素子を備え前記警報器に装着されるカップリングアダプタを介して前記警報器と通信し、前記警報器のスピーカおよびＬＥＤは、前記警報器への前記カップリングアダプタの装着時に、前記カップリングアダプタの前記スピーカおよび前記受光素子とそれぞれ密着する位置に設けられていることを特徴とする。
【００１２】
請求項２記載の発明においては、外部読出し装置は、警報器との通信手段としてスピーカおよび受光素子を備え警報器に装着されるカップリングアダプタを介して警報器と通信し、警報器のスピーカおよびＬＥＤは、警報器へのカップリングアダプタの装着時に、カップリングアダプタのスピーカおよび受光素子とそれぞれ密着する位置に設けられている。それにより、警報器を設置場所に取り付けたままの状態で履歴データやＣＯ濃度濃度等のリアルタイムデータを読み出すことができ、警報器の信頼性を維持しながら、短時間で履歴データやＣＯ濃度濃度等のリアルタイムデータの収集が可能となる。
【００１３】
上記課題を解決するためになされた請求項３記載の発明の警報器は、請求項２記載の警報器において、前記警報器のスピーカに音声警報信号を供給すると共に前記ＬＥＤに動作状態表示信号を供給するマイクロプロセッサと、前記外部読出し装置が履歴データおよび／またはリアルタイムデータを読み出す際に前記外部読出し装置から前記警報器へ送出される信号を受信する前記警報器のスピーカに接続され、前記信号を増幅して前記マイクロプロセッサに入力する増幅手段と、前記マイクロプロセッサにより制御され、前記外部読出し装置が履歴データおよび／またはリアルタイムデータを読み出す時以外は前記増幅手段からの前記マイクロプロセッサへの前記信号の入力を遮断する遮断手段とを備え、前記ＬＥＤは、前記記憶手段に記憶されている前記履歴データおよび／またはリアルタイムデータにより点滅する発光信号を前記カップリングアダプタの前記受光素子に送出することを特徴とする。
【００１４】
請求項３記載の発明においては、警報器のスピーカに音声警報信号を供給すると共にＬＥＤに動作状態表示信号を供給するマイクロプロセッサと、外部読出し装置が履歴データおよび／またはリアルタイムデータを読み出す際に外部読出し装置から警報器へ送出される信号を受信する警報器のスピーカに接続され、前記信号を増幅してマイクロプロセッサに入力する増幅手段と、マイクロプロセッサにより制御され、外部読出し装置が履歴データおよび／またはリアルタイムデータを読み出す時以外は増幅手段からのマイクロプロセッサへの前記信号の入力を遮断する遮断手段とを備え、ＬＥＤは、記憶手段に記憶されている履歴データおよび／またはリアルタイムデータにより点滅する発光信号をカップリングアダプタの受光素子に送出する。それにより、履歴データやＣＯ濃度等のリアルタイムデータを通信するために既存の警報器に追加した部品は、履歴データやＣＯ濃度等のリアルタイムデータを読み出す履歴データ等読出しモード時のみ動作し、通常モード時の動作には影響を与えることがなくなる。
【００１５】
上記課題を解決するためになされた請求項４記載の発明の警報器は、警報器の動作状態表示を行う第１および第２のＬＥＤと、履歴データおよび／またはリアルタイムデータを記憶する記憶手段とを備えた警報器１であって、前記第１および第２のＬＥＤを、前記記憶手段に記憶されている前記履歴データおよび／またはリアルタイムデータを外部読出し装置が読み出す際の前記外部読出し装置との通信手段として使用することを特徴とする。
【００１６】
請求項４記載の発明の警報器においては、警報器の動作状態表示を行う第１および第２のＬＥＤと、履歴データおよび／またはリアルタイムデータを記憶する記憶手段とを備えた警報器１であって、前記第１および第２のＬＥＤを、前記記憶手段に記憶されている前記履歴データおよび／またはリアルタイムデータを外部読出し装置が読み出す際の前記外部読出し装置との通信手段として使用する。それにより、警報器の履歴データやＣＯ濃度等のリアルタイムデータを読み出す外部読出し装置との通信機能を、低コストで実現することができる。
【００１７】
上記課題を解決するためになされた請求項５記載の発明の警報器は、請求項４記載の警報器において、前記外部読出し装置は、前記警報器との通信手段として発光素子および受光素子を備え前記警報器１に装着されるカップリングアダプタを介して前記警報器と通信し、前記警報器の前記第１および第２のＬＥＤは、前記警報器への前記カップリングアダプタの装着時に、前記カップリングアダプタの前記発光素子および前記受光素子とそれぞれ密着する位置に設けられていることを特徴とする。
【００１８】
請求項５記載の発明においては、外部読出し装置は、警報器との通信手段として発光素子および受光素子を備え警報器１に装着されるカップリングアダプタを介して警報器と通信し、警報器の第１および第２のＬＥＤは、警報器へのカップリングアダプタの装着時に、カップリングアダプタの発光素子および受光素子とそれぞれ密着する位置に設けられている。それにより、警報器を設置場所に取り付けたままの状態で履歴データやＣＯ濃度等のリアルタイムデータを読み出すことができ、警報器の信頼性を維持しながら、短時間で履歴データやＣＯ濃度等のリアルタイムデータの収集が可能となる。
【００１９】
上記課題を解決するためになされた請求項６記載の発明の警報器は、請求項５記載の警報器において、前記警報器１の前記第１および第２のＬＥＤに動作状態表示信号を供給するマイクロプロセッサユニットと、前記外部読出し装置が履歴データおよび／またはリアルタイムデータを読み出す際に前記外部読出し装置から前記警報器１へ送出される信号を受信する前記警報器の前記第１のＬＥＤに接続され、前記信号を増幅して前記マイクロプロセッサユニットに入力する増幅手段と、前記マイクロプロセッサユニットにより制御され、前記外部読出し装置が履歴データおよび／またはリアルタイムデータを読み出す時以外は前記増幅手段からの前記マイクロプロセッサユニットへの前記信号の入力を遮断する遮断手段とを備え、前記第２のＬＥＤは、前記記憶手段に記憶されている前記履歴データおよび／またはリアルタイムデータにより点滅する発光信号を前記カップリングアダプタの前記受光素子に送出することを特徴とする。
【００２０】
請求項６記載の発明においては、警報器１の第１および第２のＬＥＤに動作状態表示信号を供給するマイクロプロセッサユニットと、外部読出し装置が履歴データおよび／またはリアルタイムデータを読み出す際に外部読出し装置から警報器へ送出される信号を受信する警報器の第１のＬＥＤに接続され、前記信号を増幅してマイクロプロセッサユニットに入力する増幅手段と、マイクロプロセッサユニットにより制御され、外部読出し装置が履歴データおよび／またはリアルタイムデータを読み出す時以外は増幅手段からのマイクロプロセッサユニットへの前記信号の入力を遮断する遮断手段とを備え、第２のＬＥＤは、記憶手段に記憶されている履歴データおよび／またはリアルタイムデータにより点滅する発光信号をカップリングアダプタの受光素子に送出する。それにより、履歴データやＣＯ濃度等のリアルタイムデータを通信するために既存の警報器に追加した部品は、履歴データやＣＯ濃度等のリアルタイムデータを読み出す履歴データ等読出しモード時のみ動作し、通常モード時の動作には影響を与えることがなくなる。
【００２１】
上記課題を解決するためになされた請求項７記載の発明のカップリングアダプタは、音声警報を出力するスピーカと、警報器の動作状態表示を行うＬＥＤと、履歴データおよび／またはリアルタイムデータを記憶する記憶手段とを備え、前記スピーカおよび／または前記ＬＥＤを、前記記憶手段に記憶されている前記履歴データおよび／またはリアルタイムデータを外部読出し装置が読み出す際の前記外部読出し装置との通信手段として使用する警報器から、前記履歴データおよび／またはリアルタイムデータを読み出す外部読出し装置に接続され、前記警報器に装着されるカップリングアダプタであって、前記警報器への装着時に、前記警報器の前記スピーカと密着する位置に設けられたスピーカと、前記警報器の前記ＬＥＤと密着する位置に設けられた受光素子とを備え、前記スピーカと前記受光素子により、前記警報器から前記履歴データおよび／またはリアルタイムデータを読み出す通信を行うことを特徴とする。
【００２２】
請求項７記載の発明においては、カップリングアダプタは、音声警報を出力するスピーカと、警報器の動作状態表示を行うＬＥＤと、履歴データおよび／またはリアルタイムデータを記憶する記憶手段とを備え、スピーカおよび／またはＬＥＤを、記憶手段に記憶されている履歴データおよび／またはリアルタイムデータを外部読出し装置が読み出す際の外部読出し装置との通信手段として使用する警報器から、履歴データおよび／またはリアルタイムデータを読み出す外部読出し装置に接続されると共に、警報器に装着される。また、カップリングアダプタは、警報器への装着時に、警報器のスピーカと密着する位置に設けられたスピーカと、警報器のＬＥＤと密着する位置に設けられた受光素子とを備え、前記スピーカと受光素子により、警報器から履歴データおよび／またはリアルタイムデータを読み出す通信を行う。それにより、警報器を設置場所に取り付けたままの状態で履歴データやＣＯ濃度等のリアルタイムデータを読み出すことができ、警報器の信頼性を維持しながら、短時間で履歴データやＣＯ濃度等のリアルタイムデータの収集が可能となる。
【００２３】
上記課題を解決するためになされた請求項８記載の発明のカップリングアダプタは、警報器１の動作状態表示を行う第１および第２のＬＥＤと、履歴データおよび／またはリアルタイムデータを記憶する記憶手段とを備え、前記第１および第２のＬＥＤを、前記記憶手段に記憶されている前記履歴データおよび／またはリアルタイムデータを外部読出し装置が読み出す際の前記外部読出し装置との通信手段として使用する警報器から、前記履歴データおよび／またはリアルタイムデータを読み出す外部読出し装置に接続され、前記警報器に装着されるカップリングアダプタであって、前記警報器への装着時に、前記警報器１の前記第１のＬＥＤと密着する位置に設けられた発光素子と、前記警報器１の前記第２のＬＥＤと密着する位置に設けられた受光素子とを備え、前記発光素子および前記受光素子により、前記警報器から前記履歴データおよび／またはリアルタイムデータを読み出す通信を行うことを特徴とする。
【００２４】
請求項８記載の発明においては、カップリングアダプタは、警報器の動作状態表示を行う第１および第２のＬＥＤと、履歴データおよび／またはリアルタイムデータを記憶する記憶手段とを備え、前記第１および第２のＬＥＤを、前記記憶手段に記憶されている前記履歴データおよび／またはリアルタイムデータを外部読出し装置が読み出す際の前記外部読出し装置との通信手段として使用する警報器から、前記履歴データおよび／またはリアルタイムデータを読み出す外部読出し装置に接続され、前記警報器に装着されるカップリングアダプタであって、前記警報器への装着時に、前記警報器の前記第１のＬＥＤと密着する位置に設けられた発光素子と、前記警報器の前記第２のＬＥＤと密着する位置に設けられた受光素子とを備え、前記発光素子および前記受光素子により、前記警報器から前記履歴データおよび／またはリアルタイムデータを読み出す通信を行う。それにより、警報器を設置場所に取り付けたままの状態で履歴データやＣＯ濃度等のリアルタイムデータを読み出すことができ、警報器の信頼性を維持しながら、短時間で履歴データやＣＯ濃度等のリアルタイムデータの収集が可能となる。
【００２５】
上記課題を解決するためになされた請求項９記載の発明のデータ通信システムは、音声警報を出力するスピーカと、警報器の動作状態表示を行うＬＥＤと、履歴データおよび／またはリアルタイムデータを記憶する記憶手段とを備えた警報器と、前記記憶手段に記憶されている前記履歴データおよび／またはリアルタイムデータを読み出す外部読出し装置に接続されると共に、前記警報器への装着時に、前記警報器の前記スピーカと密着する位置に設けられたスピーカと、前記警報器の前記ＬＥＤと密着する位置に設けられた受光素子とを備え、前記警報器との間で通信を行うカップリングアダプタとを備え、前記警報器の前記スピーカおよび／または前記ＬＥＤを、前記記憶手段に記憶されている前記履歴データおよび／またはリアルタイムデータを外部読出し装置が読み出す際の前記カップリングアダプタとの通信手段として使用することを特徴とする。
【００２６】
請求項９記載の発明においては、データ通信システムは、音声警報を出力するスピーカと、警報器の動作状態表示を行うＬＥＤと、履歴データおよび／またはリアルタイムデータを記憶する記憶手段とを備えた警報器と、記憶手段に記憶されている履歴データおよび／またはリアルタイムデータを読み出す外部読出し装置に接続されると共に、警報器への装着時に、警報器のスピーカと密着する位置に設けられたスピーカと、警報器のＬＥＤと密着する位置に設けられた受光素子とを備え、警報器との間で通信を行うカップリングアダプタとを備え、警報器のスピーカおよび／またはＬＥＤを、記憶手段に記憶されている履歴データおよび／またはリアルタイムデータを外部読出し装置が読み出す際のカップリングアダプタとの通信手段として使用する。
【００２７】
それにより、警報器にコネクタを接続することなく、また、警報器を壁面に取り付けたままで、警報器の信頼性を維持しながら、短時間で履歴データやＣＯ濃度等のリアルタイムデータの収集ができる。また、警報器を濃度測定器のセンサ部として使用することができる。また、履歴データやＣＯ濃度等のリアルタイムデータを取り出すためのデータ通信は、警報器の主要機能ではないため、データ通信機能を果たすためのコストアップを極力避ける必要があるが、既存のＣＯ警報器に実装されている部品を利用することにより、わずかな部品を追加するだけでデータ通信を行うことができ、従来の無線通信方式や光通信方式より低コストとなる。すなわち、従来の無線通信方式よりも追加部品点数が少ないため、確実に低コストで実現できる。また、従来の光通信方式のような専用の発光素子および受光素子が不要であり、構造的にも光通信専用の窓が不要となり、確実に低コストで実現できる。
【００２８】
上記課題を解決するためになされた請求項１０記載の発明のデータ通信システムは、警報器の動作状態表示を行う第１および第２のＬＥＤと、履歴データおよび／またはリアルタイムデータを記憶する記憶手段とを備えた警報器と、前記記憶手段に記憶されている前記履歴データおよび／またはリアルタイムデータを読み出す外部読出し装置に接続されると共に、前記警報器への装着時に、前記警報器の前記第１のＬＥＤと密着する位置に設けられた発光素子と、前記警報器の前記第２のＬＥＤと密着する位置に設けられた受光素子とを備え、前記警報器との間で通信を行うカップリングアダプタとを備え、前記警報器１の前記第１および第２のＬＥＤを、前記記憶手段に記憶されている前記履歴データおよび／またはリアルタイムデータを外部読出し装置が読み出す際の前記カップリングアダプタとの通信手段として使用することを特徴とする。
【００２９】
請求項１０記載の発明においては、データ通信システムは、警報器の動作状態表示を行う第１および第２のＬＥＤと、履歴データおよび／またはリアルタイムデータを記憶する記憶手段とを備えた警報器と、記憶手段に記憶されている履歴データおよび／またはリアルタイムデータを読み出す外部読出し装置に接続されると共に、警報器への装着時に、警報器の第１のＬＥＤと密着する位置に設けられた発光素子と、警報器の第２のＬＥＤと密着する位置に設けられた受光素子とを備え、警報器との間で通信を行うカップリングアダプタとを備え、警報器１の第１および第２のＬＥＤを、記憶手段に記憶されている履歴データおよび／またはリアルタイムデータを外部読出し装置が読み出す際のカップリングアダプタとの通信手段として使用する。
【００３０】
それにより、警報器にコネクタを接続することなく、また、警報器を壁面に取り付けたままで、警報器の信頼性を維持しながら、短時間で履歴データやＣＯ濃度等のリアルタイムデータの収集ができる。また、警報器を濃度測定器のセンサ部として使用することができる。また、履歴データやＣＯ濃度等のリアルタイムデータを取り出すためのデータ通信は、警報器の主要機能ではないため、データ通信機能を果たすためのコストアップを極力避ける必要があるが、既存のＣＯ警報器に実装されている部品を利用することにより、わずかな部品を追加するだけでデータ通信を行うことができ、従来の無線通信方式や光通信方式より低コストとなる。すなわち、従来の無線通信方式よりも追加部品点数が少ないため、確実に低コストで実現できる。また、従来の光通信方式のような専用の発光素子および受光素子が不要であり、構造的にも光通信専用の窓が不要となり、確実に低コストで実現できる。
【発明の効果】
【００３１】
請求項１記載の発明によれば、警報器の履歴データやＣＯ濃度等のリアルタイムデータを読み出す外部読出し装置との通信機能を、低コストで実現することができる。
【００３２】
請求項２記載の発明によれば、警報器を設置場所に取り付けたままの状態で履歴データやＣＯ濃度等のリアルタイムデータを読み出すことができ、警報器の信頼性を維持しながら、短時間で履歴データやＣＯ濃度等のリアルタイムデータの収集が可能となる。
【００３３】
請求項３記載の発明によれば、履歴データやＣＯ濃度等のリアルタイムデータを通信するために既存の警報器に追加した部品は、履歴データやＣＯ濃度等のリアルタイムデータを読み出す履歴データ等読出しモード時のみ動作し、通常モード時の動作には影響を与えることがなくなる。
【００３４】
請求項４記載の発明によれば、警報器の履歴データやＣＯ濃度等のリアルタイムデータを読み出す外部読出し装置との通信機能を、低コストで実現することができる。
【００３５】
請求項５記載の発明によれば、警報器を設置場所に取り付けたままの状態で履歴データやＣＯ濃度等のリアルタイムデータを読み出すことができ、警報器の信頼性を維持しながら、短時間で履歴データやＣＯ濃度等のリアルタイムデータの収集が可能となる。
【００３６】
請求項６記載の発明によれば、履歴データやＣＯ濃度等のリアルタイムデータを通信するために既存の警報器に追加した部品は、履歴データやＣＯ濃度等のリアルタイムデータを読み出す履歴データ等読出しモード時のみ動作し、通常モード時の動作には影響を与えることがなくなる。
【００３７】
請求項７記載の発明によれば、警報器を設置場所に取り付けたままの状態で履歴データやＣＯ濃度等のリアルタイムデータを読み出すことができ、警報器の信頼性を維持しながら、短時間で履歴データやＣＯ濃度等のリアルタイムデータの収集が可能となる。
【００３８】
請求項８記載の発明によれば、警報器を設置場所に取り付けたままの状態で履歴データやＣＯ濃度等のリアルタイムデータを読み出すことができ、警報器の信頼性を維持しながら、短時間で履歴データやＣＯ濃度等のリアルタイムデータの収集が可能となる。
【００３９】
請求項９記載の発明によれば、警報器にコネクタを接続することなく、また、警報器を壁面に取り付けたままで、警報器の信頼性を維持しながら、短時間で履歴データやＣＯ濃度等のリアルタイムデータの収集ができる。また、警報器を濃度測定器のセンサ部として使用することができる。また、履歴データやＣＯ濃度等のリアルタイムデータを取り出すためのデータ通信は、警報器の主要機能ではないため、データ通信機能を果たすためのコストアップを極力避ける必要があるが、既存のＣＯ警報器に実装されている部品を利用することにより、わずかな部品を追加するだけでデータ通信を行うことができ、従来の無線通信方式や光通信方式より低コストとなる。すなわち、従来の無線通信方式よりも追加部品点数が少ないため、確実に低コストで実現できる。また、従来の光通信方式のような専用の発光素子および受光素子が不要であり、構造的にも光通信専用の窓が不要となり、確実に低コストで実現できる。
【００４０】
請求項１０記載の発明によれば、警報器にコネクタを接続することなく、また、警報器を壁面に取り付けたままで、警報器の信頼性を維持しながら、短時間で履歴データやＣＯ濃度等のリアルタイムデータの収集ができる。また、警報器を濃度測定器のセンサ部として使用することができる。また、履歴データやＣＯ濃度等のリアルタイムデータを取り出すためのデータ通信は、警報器の主要機能ではないため、データ通信機能を果たすためのコストアップを極力避ける必要があるが、既存のＣＯ警報器に実装されている部品を利用することにより、わずかな部品を追加するだけでデータ通信を行うことができ、従来の無線通信方式や光通信方式より低コストとなる。すなわち、従来の無線通信方式よりも追加部品点数が少ないため、確実に低コストで実現できる。また、従来の光通信方式のような専用の発光素子および受光素子が不要であり、構造的にも光通信専用の窓が不要となり、確実に低コストで実現できる。
【発明を実施するための最良の形態】
【００４１】
以下、本発明の実施形態について図面を参照しながら説明する。
【００４２】
（第１の実施形態）図１は、本発明の第１の実施形態を示すデータ通信システムを示す構成図である。図１に示すデータ通信システムは、ＣＯ警報器１とカップリングアダプタ１００とからなり、ＣＯ警報器１の履歴データやＣＯ濃度等のリアルタイムデータをカップリングアダプタ１００を介して外部読出し装置、たとえばパソコン（図示しない）で読み取るものである。
【００４３】
ＣＯ警報器１は、ガスセンサ１０と、マイクロプロセッサユニット（ＭＰＵ）２０と、音声警報部３０と、点検スイッチ４０と、ＬＥＤ表示部５０と、ＥＥＰＲＯＭ６０とを備えている。そして、ＣＯ警報器１は、図示しない電池から供給される電力によって動作している。
【００４４】
ガスセンサ１０は、ＣＯ（一酸化炭素）の酸化反応によりＣＯ濃度に応じた電流が流れる電気化学式センサを用いており、ＣＯ濃度に応じた電流を電圧に変換してＭＰＵ２０に出力している。
【００４５】
ＭＰＵ２０は、周知のように、予め定められたプログラムにしたがって各種の処理や制御を行う中央演算処理装置（ＣＰＵ）２０ａと、ＣＰＵ２０ａのためのプログラム等を格納した読み出し専用のメモリであるＲＯＭ２０ｂと、各種のデータを格納する記憶領域とＣＰＵ２０ａの処理作業に必要なワークエリアを有する読み出し書き込み自在のメモリであるＲＡＭ２０ｃ等を有して構成されている。
【００４６】
警報部３０は、スピーカ３０ａ、アンプ３０ｂ、アンプ３０ｃ、スイッチ素子３０ｄを有している。警報部３０は、ＣＰＵ２０ａによって制御され、ＣＰＵ２０ａから出力される音声警報信号をアンプ３０ｂで増幅し、スピーカ３０ａから警報音を放音する。スピーカ３０ａおよびアンプ３０ｂは、周知のＣＯ警報器に備えられている警報音発生のための部品である。アンプ３０ｃおよびスイッチ素子３０ｄは、後述するデータ通信のために追加されたされた部品である。アンプ３０ｃは、請求項における増幅手段に相当し、スイッチ素子３０ｄは、請求項における遮断手段に相当する。
【００４７】
点検スイッチ４０は、点検作業者によって点検時に操作されるスイッチであり、操作信号をＭＰＵ２０に供給する。
【００４８】
ＬＥＤ表示部５０は、インバータ５０ａ、ＬＥＤ（発光ダイオード）５０ｂおよび抵抗５０ｃを有している。ＬＥＤ表示部５０は、ＣＰＵ２０ａによって制御され、ＣＰＵ２０ａから出力されるハイレベルの表示警報信号またはハイレベルとローレベルが交互する表示警報信号をインバータ５０ａに供給することにより、ＬＥＤ５０ｂを点灯または点滅させるて警報表示を行う。ＬＥＤ５０ｂは、周知のＣＯ警報器に備えられている警報表示または電源表示等の動作状態表示を行うための部品であるが、後述するデータ通信にも利用される。
【００４９】
ＥＥＰＲＯＭ６０は不揮発性メモリであり、ＭＰＵ２０に接続されてＣＯ警報器１の履歴データおよびリアルタイムデータが記憶されている。ＥＥＰＲＯＭ６０に記憶されているデータは、たとえば、ガスセンサ電圧、ＣＯ濃度、周囲温度、電池電圧、警報時濃度、警報発生時間、ガスセンサ故障発生時間、電池電圧低下発生時間およびガスセンサ駆動回路駆動回数等の履歴データと、ガスセンサ電圧、ＣＯ濃度、周囲温度および電池電圧等ののリアルタイムデータなどである。ＥＥＰＲＯＭ６０は、請求項における記憶手段に相当する。
【００５０】
ガスセンサ電圧、ＣＯ濃度、周囲温度は、１つの電文で一括読み出しされ、パソコン内でＣＯ濃度（ｐｐｍ）、温度（℃）に変換する。通常、このデータは、３０秒（ＣＯ濃度により１５秒、１０秒、５秒とＣＯ濃度が高くなるほど間隔が短くなる）ごとにガスセンサ１０内の駆動回路を駆動して濃度等を測定し、更新される。また、ガスセンサ電圧、ＣＯ濃度、周囲温度のデータは、最大で３０秒前のデータとなるが、このデータは要求したときの値となる。電池電圧は、１つの電文で履歴１〜５が一括読み出しされる。履歴は、最新の５履歴まで記憶されている。
【００５１】
ガスセンサ電圧およびＣＯ濃度および周囲温度のリアルタイムデータは、パソコンよりデータ要求電文を受けて、その都度濃度測定（温度を含む）を行い、そのＡＤ変換値が読み出される。なお、リアルタイムデータを除く全てのデータは、一括で読み出すこともできる。
【００５２】
ガスセンサ故障発生時間、電池電圧低下発生時間は、ＣＯ警報器を使い始めたときからの積算時間である。なお、ガスセンサ故障は、５０時間ごとに、電池電圧低下は、２５時間毎に自動的に調べる。
【００５３】
カップリングアダプタ１００は、インターフェース１００ａ、アンプ１００ｂ、スピーカ１００ｃ、フォトセンサ（フォトダイオード）１００ｄおよびアンプ１００ｅを有している。インターフェース１００ａは、パソコンとの通信に合った電圧に信号レベルを変換するレベル変換部を内蔵している。インターフェース１００ａは、パソコンからデータ要求信号をアンプ１００ｂへ出力し、アンプ１００ｂで増幅して、スピーカ１００ｃからＣＯ警報器１のスピーカ３０ａに向けて放音する。また、インターフェース１００ａは、ＣＯ警報器１のＬＥＤ５０ｂからの発光信号をフォトセンサ１００ｄで受光し、アンプ１００ｅで増幅した受光信号をパソコンへ送出する。フォトセンサ（フォトダイオード）１００ｄは、請求項における受光素子に相当する。
【００５４】
図２は、ＣＯ警報器１の外観を示す図であり、（Ａ）は斜視図、（Ｂ）は正面図、（Ｃ）は右側面図である。ＣＯ警報器１は、予め設置場所の壁面に取り付けられた取付部材（図示しない）のフックに樹脂製のケース２に上部に設けられた取付穴２ａを掛けて、吊り下げられて使用される。ケースの前面には、内蔵するスピーカ３０ａ（図１）の放音孔２ｂとＬＥＤ５０ｂ（図１）が設けられている。
【００５５】
図３は、ＣＯ警報器１にカップリングアダプタ１００を装着した状態を示す図であり、（Ａ）は正面図、（Ｂ）は右側面図である。点線で示されるカップリングアダプタ１００は、ＣＯ警報器１に引っ掛けて装着すると、内蔵するスピーカ１００ｃがＣＯ警報器１のスピーカ３０ａの放音孔２ｂに密着し、かつ内蔵するフォトセンサ１００ｄの受光面がＣＯ警報器１のＬＥＤ５０ｂの発光面に密着するように構成されている。
【００５６】
次に、ＣＯ警報器１を設置場所の壁面に取り付けた状態において、カップリングアダプタ１００をＣＯ警報器１に装着してデータ通信を行う際のＣＯ警報器１のＣＰＵ２０ａが実行する履歴データ読出し処理を、図４のフローチャートを参照しながら説明する。
【００５７】
まず、ＣＯ警報器１の電源をオンすると通常動作モードになり（ステップＳ１）、次いで点検スイッチ４０が長押し（たとえば、３秒間連続してオン操作）されたか否かを判定する（ステップＳ２）。点検スイッチ４０が長押し操作されていなければ、ステップＳ１に戻る。点検スイッチ４０が長押しされていると、履歴データ等読出しモードに入り、次いで、スイッチ素子３０ｄにオン制御信号を出力することにより、スイッチ素子３０ｄをオン状態にしてアンプ３０ｃの電源をオンにし、アンプ３０ｂを能動状態にする（ステップＳ３）。
【００５８】
次に、カップリングアダプタ１００側からの履歴データ読出し要求信号があるか否かを判定する（ステップＳ４）。この履歴データ読出し要求信号は、スピーカ１００ｃおよび３０ａの駆動可能な周波数帯域内の可聴周波数信号で送出され、履歴データの通信の開始を指示する信号である。履歴データ読出し要求信号は、パソコンからカップリングアダプタ１００のインターフェース１００ａおよびアンプ１００ｂを介してスピーカ１００ｃへ供給され、スピーカ１００ｃから放音される。スピーカ１００ｃから放音された履歴データ読出し要求信号は、ＣＯ警報器１のスピーカ３０ａで可聴音として受信される。すなわち、スピーカ３０ａは、マイクロフォンとして働く。
【００５９】
履歴データ読出し要求信号があれば、次いで、カップリングアダプタ１００側からのデータ要求信号があるか否かを判定する（ステップＳ５）。このデータ要求信号は、履歴データ読出し要求信号と同様にスピーカ１００ｃおよび３０ａの駆動可能な周波数帯域内の可聴周波数信号で送出され、データ内容を識別する信号である。
【００６０】
データ要求信号があれば、次いで、データ要求信号の内容を解読し、履歴データやＣＯ濃度等のリアルタイムデータの中のどのデータを要求しているかを認識する（ステップＳ６）。次に、解読されたデータ要求内容に合うデータをカップリングアダプタ１００へ送出する（ステップＳ７）。このデータは、ＥＥＰＲＯＭ６０に記憶されている履歴データやＣＯ濃度等のリアルタイムデータの中から解読されたデータ要求内容に合うデータが読み出され、ＣＰＵ２０ａでハイレベルおよびローレベルが交互する信号に変換されてインバータ５０ａを介してＬＥＤ５０ｂに供給され、ＬＥＤ５０ｂをデータ内容に応じて点滅動作させる。ＬＥＤ５０ｂの点滅動作による発光信号は、カップリングアダプタ１００のフォトセンサ（フォトダイオード）１００ｄに送出される。
【００６１】
一方、ステップＳ４において、要求点検信号がなければ、次いで、所定の待機時間（たとえば、１分）経過したか否かを判定する（ステップＳ８）。所定の待機時間が経過していなければ、ステップＳ４に戻る。所定の待機時間が経過していれば、次いで、スイッチ素子３０ｄにオフ制御信号を出力することにより、スイッチ素子３０ｄをオフ状態にしてアンプ３０ｃの電源をオフにし、アンプ３０ｂを不動作状態にして、アンプ３０ｂからのＭＰＵ２０への信号の入力を遮断し（ステップＳ１０）、次いでステップＳ１の通常モードに戻る。
【００６２】
また、ステップＳ５において、データ要求信号がなければ、次いでカップリングアダプタ１００側からの終了要求信号があるか否かを判定する（ステップＳ９）。この終了要求信号は、点検スイッチ４０を再度押すことでＣＰＵ２０ａに入力されるか、または履歴データ読出し要求信号と同様にパソコンからスピーカ１００ｃおよび３０ａの駆動可能な周波数帯域内の可聴周波数信号で送出される、データ通信の終了を指示する信号である。終了要求信号がなければ、次いでステップＳ４に戻り、終了要求信号があれば、次いで、スイッチ素子３０ｄにオフ制御信号を出力することにより、スイッチ素子３０ｄをオフ状態にしてアンプ３０ｃの電源をオフにし、アンプ３０ｂを不動作状態にし（ステップＳ１０）、次いでステップＳ１の通常モードに戻る。
【００６３】
次に、ＣＯ警報器１を設置場所の壁面に取り付けた状態において、カップリングアダプタ１００をＣＯ警報器１に装着してデータ通信を行う際のパソコン側が実行する履歴データ読出し処理を、図５のフローチャートを参照しながら説明する。
【００６４】
まず、パソコンにおいて点検プログラムを起動させると、履歴データ等読出しモードの初期画面がパソコンのディスプレイに表示され（ステップＳ２１）、次いで、画面中の履歴データ読出し要求スイッチ（アイコン）がオン操作されたか否かを判定する（ステップＳ２２）。履歴データ読出し要求スイッチ（アイコン）がオン操作されていなければ、次いで、その他の処理が指示されたか否かを判定する（ステップＳ２３）。その他の処理が指示されていなければ、次いでステップＳ２２に戻り、指示されていれば、次いでその他の処理を実行し（ステップＳ２４）、次いでステップＳ２１に戻る。
【００６５】
履歴データ読出し要求スイッチ（アイコン）がオン操作されていれば、次いで、履歴データ読出し要求信号を送出する（ステップＳ２５）。次に、データ要求スイッチ（アイコン）がオン操作されたか否かを判定する（ステップＳ２６）。データ要求スイッチ（アイコン）は、履歴データやＣＯ濃度等のリアルタイムデータの中のデータの種類に対応する数だけディスプレイ画面中に用意されており、パソコンに取り込む必要のあるデータに対応するデータ要求スイッチ（アイコン）が操作される。
【００６６】
データ要求スイッチ（アイコン）がオン操作されていなければ、次いで、その他の処理が指示されたか否かを判定する（ステップＳ２７）。その他の処理が指示されていなければ、次いでステップＳ２６に戻り、指示されていれば、次いでその他の処理を実行し（ステップＳ２８）、次いでステップＳ２１に戻る。
【００６７】
データ要求スイッチ（アイコン）がオン操作されていれば、次いで、データ要求信号を送出する（ステップＳ２９）。次に、データが受信されたか否かを判定する（ステップＳ３０）。データが受信されれば、次いで、受信したデータを一時的に記憶する（ステップＳ３１）。
【００６８】
次に、終了要求スイッチ（アイコン）がオン操作されたか否かを判定する（ステップＳ３２）。終了要求スイッチ（アイコン）がオン操作されていなければ、次いで、ステップＳ２６に戻り、異なるデータ要求信号の送出およびデータの受信、一時記憶を繰り返す。
【００６９】
終了要求スイッチ（アイコン）がオン操作されていれば、次いで、一時記憶していた全てのデータを一括して不揮発性メモリに記憶し（ステップＳ３３）、次いで、終了要求信号を送出し（ステップＳ３４）、処理を終了する。
【００７０】
このように、本実施形態によれば、ＣＯ警報器１にコネクタを接続することなく、また、ＣＯ警報器１を壁面に取り付けたままで、ＣＯ警報器の信頼性を維持しながら、短時間で履歴データやＣＯ濃度等のリアルタイムデータの収集ができる。また、ＣＯ警報器を濃度測定器のセンサ部として使用することができる。また、履歴データやＣＯ濃度等のリアルタイムデータを取り出すためのデータ通信は、ＣＯ警報器１の主要機能ではない（使用者からお金をもらえない）ため、データ通信機能を果たすためのコストアップを極力避ける必要があるが、本実施形態では、既存のＣＯ警報器に実装されている部品を利用することにより、わずかな部品を追加するだけでデータ通信を行うことができ、従来の無線通信方式や光通信方式より低コストとなる。すなわち、従来の無線通信方式よりも追加部品点数が少ないため、確実に低コストで実現できる。
【００７１】
また、専用のＣＯ検知器がなくても、設備の良否判定ができる。さらに、基準ガスを掛ければ、ＣＯ警報器の健全性も確保できる。
【００７２】
また、従来の光通信方式のような専用の発光素子および受光素子が不要であり、構造的にも光通信専用の窓が不要となり、確実に低コストで実現できる。
【００７３】
また、使用中のＣＯ警報器から現在（履歴データ読み出し時点）のＣＯ濃度レベルと、記憶されているＣＯ濃度データの履歴を読み出し解析することで、設置先における燃焼設備、給排気の不備等を簡易的に発見して、使用者に対して改善を促すことができる。
【００７４】
（第２の実施形態）図６は、本発明の第２の実施形態を示すデータ通信システムを示す構成図である。図６に示すデータ通信システムでは、ＣＯ警報器１のＬＥＤ表示回路５０とカップリングアダプタ１００の構成が第１の実施形態と異なっている。すなわち、ＣＯ警報器１のＬＥＤ表示回路５０は、インバータ５０ａおよび５０ｄと、ＬＥＤ５０ｂおよび５０ｅと、抵抗５０ｃおよび５０ｆを有している。ＬＥＤ表示部５０は、ＣＰＵ２０ａによって制御され、通常モード時、ＣＰＵ２０ａから出力されるハイレベルの表示警報信号またはハイレベルとローレベルが交互する表示警報信号をインバータ５０ａに供給し、ＬＥＤ５０ｂを点灯または点滅させることによって警報表示を行う。また、ＬＥＤ表示部５０は、通常モード時、ＣＰＵ２０ａから出力されるハイレベルの電源表示信号をインバータ５０ｄに供給し、ＬＥＤ５０ｅを点灯させて電源オンを表示する。ＬＥＤ５０ｂおよび５０ｅは、それぞれ、周知のＣＯ警報器に備えられている警報表示および電源表示のための部品であるが、両方とも後述するデータ通信にも利用される。
【００７５】
カップリングアダプタ１００は、インターフェース１００ａ、フォトセンサ１００ｄ、インバータ１００ｆ、ＬＥＤ１００ｇおよび抵抗１００ｈを有している。インターフェース１００ａは、パソコンからデータ要求信号をインバータ１００ｆへ出力し、ＬＥＤ１００ｇを点灯または点滅させてＣＯ警報器１のＬＥＤ表示回路５０ｅに向けて発光する。また、インターフェース１００ａは、ＣＯ警報器１のＬＥＤ５０ｂからの発光信号をフォトセンサ１００ｄで受光し、アンプ１００ｅで増幅した受光信号をパソコンへ送出する。
【００７６】
上述の構成では、カップリングアダプタ１００のＬＥＤ１００ｇおよびフォトセンサ１００ｅは、それぞれ、ＣＯ警報器１のＬＥＤ表示回路５０のＬＥＤ５０ｅおよび５０ｂと密着する位置に配置される。
【００７７】
ＬＥＤ表示回路５０のＬＥＤ５０ｅは、ＣＯ警報器１に既存の可視光ＬＥＤであり、電流を流すと発光するが、逆に受光するとその内部抵抗が小さくなるように変化するので、受光素子としても使うことができ、データ通信専用の発光／受光素子が不要になる。
【００７８】
すなわち、ＬＥＤ表示回路５０のＬＥＤ５０ｅは、通常モード時には警報器１の警報表示という動作状態表示を行う発光素子として働き、履歴データ等読出しモード時には、カップリングアダプタ１００のＬＥＤ１００ｇから送出される要求発光信号の受光素子として働く。
【００７９】
以上の通り、本発明の実施の形態について説明したが、本発明はこれに限らず、種々の変形、応用が可能である。
【００８０】
たとえば、上述の第１の実施形態ではＣＯ警報器１のスピーカ３０ａおよびＬＥＤ５０ｂ、第２の実施形態ではＣＯ警報器１のＬＥＤ５０ｅおよび５０ｂをそれぞれデータ通信に利用しているが、これに代えてＣＯ警報器１およびカップリングアダプタ１００のスピーカ１個同士を要求信号およびデータ信号の通信に利用するように構成したり、ＬＥＤ１個同士のみを発光／受光の兼用素子として要求信号およびデータ信号の通信に利用するように構成しても良い。
【００８１】
また、上述の実施形態では、ＣＯ警報器に適用した場合について説明したが、本発明はこれに限らず、他のガス警報器や火災警報器等でも適用可能である。
【図面の簡単な説明】
【００８２】
【図１】本発明の第１の実施形態を示すデータ通信システムを示す構成図である。（第１の実施形態）
【図２】図１のデータ通信システムにおけるＣＯ警報器の外観を示す図であり、（Ａ）は斜視図、（Ｂ）は正面図、（Ｃ）は右側面図である。（第１の実施形態）
【図３】図１のデータ通信システムにおけるＣＯ警報器にカップリングアダプタを装着した状態を示す図であり、（Ａ）は正面図、（Ｂ）は右側面図である。（第１の実施形態）
【図４】データ通信を行う際のＣＯ警報器のＣＰＵが実行する処理例を示すフローチャートである。（第１の実施形態）
【図５】データ通信を行う際のパソコンが実行する処理例を示すフローチャートである。（第１の実施形態）
【図６】本発明の第２の実施形態を示すデータ通信システムの要部を示す構成図である。（第２の実施形態）
【図７】従来のデータ通信システムの構成例を示す図であり、（Ａ）はＣＯ警報器の背面図、（Ｂ）データ通信システムのコネクタ接続を示す図である。（従来例）
【符号の説明】
【００８３】
１        ＣＯ警報器
２０      マイクロプロセッサユニット（ＭＰＵ）
３０ａ    スピーカ（通信手段）
３０ｃ    アンプ（増幅手段）
３０ｄ    スイッチ素子（遮断手段）
５０ｂ    ＬＥＤ（通信手段、第２のＬＥＤ）
５０ｅ    ＬＥＤ（通信手段、第１のＬＥＤ）
６０      ＥＥＰＲＯＭ（記憶手段）
１００    カップリングアダプタ
１００ｃ  スピーカ
１００ｄ  フォトセンサ（受光素子）
１００ｇ  ＬＥＤ（発光素子）
【図１】
2008146183.tif 000003
【図２】
2008146183.tif 000004
【図３】
2008146183.tif 000005
【図４】
2008146183.tif 000006
【図５】
2008146183.tif 000007
【図６】
2008146183.tif 000008
【図７】
2008146183.tif 000009